(57)【要約】【課題】第１剤に第２剤が投入されたことが容器の外からでもすぐに判別できる混合容器を提案する。【解決手段】本発明の混合容器は、第１剤を収める容器本体２と、刃部３ｃと連通口３ｂとを備えるカッター３と、第２剤を収容し、連結片４ｇによって内筒部４ａを支持する回転体４と、回転体４に保持される識別体５と、を備えていて、回転体４を容器本体２にねじ込んだ際、シール部４ｅは、刃部３ｃで破断されて第２剤が収容空間Ｓ１に導入され、内筒部４ａは、天壁３ａに押し当たって上方へ移動し、識別体５は、容器本体２、カッター３、又は内筒部４ａに押し当たって回転体４から脱落するものであって、更に、回転体４のねじ込み終了域においてねじ部２ｂと被ねじ部４ｎとの緩み方向の回転が阻止される回り止め機構を備えるものである。【選択図】図１
2019026303.tif 000002
【特許請求の範囲】
【請求項１】
第１剤を収める収容空間を有するとともにねじ部を備える口部を有する容器本体と、
前記口部を覆う天壁を有し、該天壁に、上方へ向けて起立する刃部と前記収容空間に通じる連通口とを備えるカッターと、
下部開口を有する内筒部と、該下部開口を閉鎖して該内筒部との間に第２剤を収容するシール部と、該内筒部につながる連結片によって該シール部が前記刃部及び前記連通口の上方に位置する状態で該内筒部を支持するとともに、前記ねじ部に適合する被ねじ部を備える外筒部とを有する回転体と、
前記回転体に保持される識別体と、を備える混合容器において、
前記回転体を前記容器本体にねじ込んだ際、前記シール部は、前記刃部で破断されて第２剤が前記連通口を通して前記収容空間に導入され、前記内筒部は、前記天壁に押し当たって前記外筒部に対して上方へ移動し、前記識別体は、前記容器本体、前記カッター、又は前記内筒部に押し当たって該回転体から脱落するものであって、
更に、前記回転体のねじ込み終了域において前記ねじ部と前記被ねじ部との緩み方向の回転が阻止される回り止め機構を備える混合容器。
【請求項２】
前記容器本体と前記回転体との相互間に、破断可能な薄肉部を介して前記口部を周回して未使用時における該回転体のねじ込みを阻止するバージンリングを有し、
前記回り止め機構は、前記口部の下部外周面に設けられ、未使用時においては前記バージンリングの回転を阻止する外向き突起と、前記外筒部の下部内周面に設けられ、ねじ込み終了域においては該外向き突起に係合する内向き突起とによって構成される請求項１に記載の混合容器。
【請求項３】
前記内筒部は、前記下部開口に通じる上部開口を有し、前記識別体は、該内筒部を覆って該上部開口を閉鎖するとともに、前記回転体をねじ込んだ際に該内筒部によって押し上げられる頂壁を有する請求項１又は２に記載の混合容器。
【請求項４】
前記内筒部は、前記下部開口に通じる上部開口と、該内筒部の外周面に設けられる第２ねじ部とを有し、
前記第２ねじ部は、該第２ねじ部に適合する第２被ねじ部を有するとともに前記上部開口を閉鎖するキャップを保持するものであって、
前記キャップは、未使用時においては前記回転体に設けられた上向き突起に係合して該キャップを回り止めする一方、前記回転体をねじ込んで前記内筒部が上方へ移動した際には該上向き突起との係合が解除されて該キャップの回転を許容する下向き突起を有する請求項１又は２に記載の混合容器。
【請求項５】
前記識別体は、前記回転体に係合して該識別体を該回転体に保持する爪部を有し、
前記容器本体又は前記カッターは、該回転体をねじ込んだ際に該爪を径方向内側又は径方向外側に撓ませて該回転体と該爪部との係合を解除する傾斜部を有する請求項１〜４の何れか一項に記載の混合容器。
【発明の詳細な説明】
【技術分野】
【０００１】
本発明は、別々に収容した第１剤と第２剤を使用時に混合させることができる混合容器に関する。
【背景技術】
【０００２】
洗浄液や消毒液の他、各種の飲料等を収容する容器にあっては、一つの容器内に第１剤と第２剤を別々に収容しておき、使用時にはこれらを混合させることができる混合容器が使用されている。このような混合容器として、例えば特許文献１には、第１剤を収める収容空間を有する本体部と、この本体部の口部に装着されるベースと、ベースとの間で第２剤を収容するとともにベースに対してねじ止めされるキャップとを備え、キャップを締め込むことによってベースに保持した隔壁が外れて第２剤が収容空間に落下して第１剤と第２剤とが混ざり合う混合容器が示されている。このような混合容器によれば、第１剤を収容した容器の中に第２剤を投入する作業が省略できるため、使い勝手がよいという利点がある。
【先行技術文献】
【特許文献】
【０００３】
【特許文献１】特開２０１０−５２７８６号公報
【発明の概要】
【発明が解決しようとする課題】
【０００４】
従来の混合容器は、このような利点がある反面、第１剤に第２剤が投入されたことが容器の外からすぐに判別することが難しいという問題を抱えている。例えば特許文献１の混合容器においては、第２剤を投入するためにキャップを締め込むと、キャップはベースに近づくことになる。このため、キャップの位置を確認することによって第１剤に第２剤が投入されたことを知ることができるものの、一見しただけでキャップの位置の違いを判別するのは困難である。
【０００５】
本発明は、このような問題点を解決することを課題とするものであり、第１剤に第２剤が投入されたことが容器の外からでもすぐに判別できる混合容器を提供することを目的とする。
【課題を解決するための手段】
【０００６】
本発明は、第１剤を収める収容空間を有するとともにねじ部を備える口部を有する容器本体と、
前記口部を覆う天壁を有し、該天壁に、上方へ向けて起立する刃部と前記収容空間に通じる連通口とを備えるカッターと、
下部開口を有する内筒部と、該下部開口を閉鎖して該内筒部との間に第２剤を収容するシール部と、該内筒部につながる連結片によって該シール部が前記刃部及び前記連通口の上方に位置する状態で該内筒部を支持するとともに、前記ねじ部に適合する被ねじ部を備える外筒部とを有する回転体と、
前記回転体に保持される識別体と、を備える混合容器において、
前記回転体を前記容器本体にねじ込んだ際、前記シール部は、前記刃部で破断されて第２剤が前記連通口を通して前記収容空間に導入され、前記内筒部は、前記天壁に押し当たって前記外筒部に対して上方へ移動し、前記識別体は、前記容器本体、前記カッター、又は前記内筒部に押し当たって該回転体から脱落するものであって、
更に、前記回転体のねじ込み終了域において前記ねじ部と前記被ねじ部との緩み方向の回転が阻止される回り止め機構を備える混合容器である。
【０００７】
前記容器本体と前記回転体との相互間に、破断可能な薄肉部を介して前記口部を周回して未使用時における該回転体のねじ込みを阻止するバージンリングを有し、
前記回り止め機構は、前記口部の下部外周面に設けられ、未使用時においては前記バージンリングの回転を阻止する外向き突起と、前記外筒部の下部内周面に設けられ、ねじ込み終了域においては該外向き突起に係合する内向き突起とによって構成されることが好ましい。
【０００８】
前記内筒部は、前記下部開口に通じる上部開口を有し、前記識別体は、該内筒部を覆って該上部開口を閉鎖するとともに、前記回転体をねじ込んだ際に該内筒部によって押し上げられる頂壁を有することが好ましい。
【０００９】
前記内筒部は、前記下部開口に通じる上部開口と、該内筒部の外周面に設けられる第２ねじ部とを有し、
前記第２ねじ部は、該第２ねじ部に適合する第２被ねじ部を有するとともに前記上部開口を閉鎖するキャップを保持するものであって、
前記キャップは、未使用時においては前記回転体に設けられた上向き突起に係合して該キャップを回り止めする一方、前記回転体をねじ込んで前記内筒部が上方へ移動した際には該上向き突起との係合が解除されて該キャップの回転を許容する下向き突起を有することが好ましい。
【００１０】
前記識別体は、前記回転体に係合して該識別体を該回転体に保持する爪部を有し、
前記容器本体又は前記カッターは、該回転体をねじ込んだ際に該爪を径方向内側又は径方向外側に撓ませて該回転体と該爪部との係合を解除する傾斜部を有することが好ましい。
【発明の効果】
【００１１】
本発明の混合容器では、容器本体に対して回転体をねじ込むことによって、カッターの刃部がシール部を破断し、これによって第２剤が第１剤を収容した容器本体の収容空間に導入される。またこの時、回転体に保持されていた識別体は、容器本体、カッター、又は内筒部に押し当たって回転体から脱落する。すなわち、識別体が回転体に残っているか否かはすぐに判断できるため、第２剤の投入の有無を簡単に判別することができる。更に本発明の混合容器では、回転体のねじ込み終了域においてねじ部と被ねじ部との緩み方向の回転が阻止される回り止め機構を備えているため、第２剤が投入された際には回転体が緩み方向に回転することがない。すなわち、脱落した識別体を回転体に取り付けようとしても、容器本体、カッター、又は内筒部が邪魔をして回転体への再装着を防止することができる。これにより、第２剤が投入されているのに識別体が回転体に残っていることがなくなるため、第２剤の投入の有無を常に正しく判別することができる。
【００１２】
そして、容器本体と回転体との相互間に、破断可能な薄肉部を介して口部を周回して未使用時における回転体のねじ込みを阻止するバージンリングを設ける場合は、不用意に回転体をねじ込んでしまうことがなくなるため、意図しない第２剤の投入を防止することができる。また、外向き突起を設ける場合は、バージンリングが回転しないため、薄肉部で破断させてバージンリングを口部から取り外す作業が行いやすくなる。更に、この外向き突起と外筒部に設けられる内向き突起を利用して上述した回り止め機構を構成する場合は、この外向き突起で、バージンリングを回り止めする機能と回転体を回り止めする機能を兼ねることができるため、構造を簡素化することができる。
【００１３】
内筒部に、下部開口に通じる上部開口を設け、識別体に、内筒部を覆って上部開口を閉鎖するとともに、回転体をねじ込んだ際に内筒部によって押し上げられる頂壁を設ける場合は、回転体をねじ込んで第２剤が投入されると識別体が脱落し、それと同時に下部開口を通して収容空間に通じる上部開口を開栓することができる。すなわち、第１剤と第２剤として混合させた後はすぐに使用した方がよいものを収容する場合は、上部開口が開栓したままになることから即時の使用を促すことができるため、このような構成の混合容器は特に有利となる。
【００１４】
また内筒部に、下部開口に通じる上部開口と、内筒部の外周面に設けられる第２ねじ部とを設け、第２ねじ部を、この第２ねじ部に適合する第２被ねじ部を有するとともに上部開口を閉鎖するキャップを保持するものとし、このキャップに、未使用時においては回転体に設けられた上向き突起に係合してキャップを回り止めする一方、回転体をねじ込んで内筒部が上方へ移動した際には上向き突起との係合が解除されてキャップの回転を許容する下向き突起を設ける場合は、未使用時においてキャップを回り止めすることができるため、不用意に開栓してしまうことがない。また第２剤を投入した後は、キャップによって下部開口を通して収容空間に通じる上部開口を閉栓しておくことができる。すなわち、第１剤と第２剤として混合させた後しばらくの間使用できるものを収容する場合は、使う分だけ小出しにして残りは保管しておくことができるため、このような構成を有する混合容器は特に有利となる。
【００１５】
識別体は、未使用時には回転体に安定的に保持され、回転体をねじ込んで第２剤が投入されると回転体から確実に脱落させる必要がある。ここで識別体に、回転体に係合して識別体を該回転体に保持する爪部を設け、容器本体又はカッターに、回転体をねじ込んだ際に爪を径方向内側又は径方向外側に撓ませて回転体と爪部との係合を解除する傾斜部を設ける場合は、上述した機能を有利に実現する一つの手段となる。
【図面の簡単な説明】
【００１６】
【図１】本発明に従う混合容器の第１実施形態を示す、図２（ａ）、（ｂ）のＢ−Ｂに沿う半断面図である。
【図２】（ａ）は、図１に示す混合容器の平面図であり、（ｂ）は図１に示すＡ−Ａに沿う断面図である。
【図３】図１の状態から回転体をねじ込んで識別体が脱落した状態を示す、図４のＤ−Ｄに沿う半断面図である。
【図４】図３に示すＣ−Ｃに沿う断面図である。
【図５】本発明に従う混合容器の第２実施形態を示す、図２（ｂ）のＢ−Ｂに沿う半断面図である。
【図６】図５に示す混合容器の平面図である。
【図７】図５の状態から回転体をねじ込んでいき、内筒部が上方へ移動するとともに識別体の爪部が径方向外側に撓み始める状態を示す半断面図である。
【図８】更に回転体をねじ込んで識別体が脱落した状態を示す、図４のＤ−Ｄに沿う半断面図である。
【発明を実施するための形態】
【００１７】
以下、図面を参照しながら本発明に従う混合容器の一実施形態について説明する。なお、本明細書等において「上」とは、容器本体（符号２）に対して識別体（符号５）が位置する側であり、「下」とはその逆側である。
【００１８】
図１〜図２は、本発明に従う混合容器の第１実施形態を示している。本実施形態の混合容器１は、容器本体２、カッター３、回転体４、識別体５、バージンリング６を備えている。
【００１９】
容器本体２は、円筒状の口部２ａと、口部２ａの下端につながる不図示の胴部、及び胴部の下端部を閉鎖する不図示の底部を備えている。口部２ａ、胴部、及び底部の内側には、第１剤を収める収容空間Ｓ１が形成されている。また口部２ａの外周面には、雄ねじ部２ｂが設けられ、雄ねじ部２ｂの上方には、カッター３を保持するための膨出部２ｃが設けられている。更に、口部２ａの外周面において雄ねじ部２ｂの下方には、径方向外側に向けて突出する外向き突起２ｄが設けられている。本実施形態の外向き突起２ｄは、図２（ｂ）に示すように周方向に間隔をあけて合計４つ設けられている。またそのうちの１つの外向き突起２ｄは、口部２ａに対してなだらかに円弧状につながる緩斜部２ｅを備えている。
【００２０】
カッター３は、口部２ａの開口を覆う天壁３ａを備えている。天壁３ａの中央部分には、天壁３ａを貫く連通口３ｂが設けられている。また連通口３ｂの外縁部には、天壁３ａから上方に向けて尖るようにして起立する刃部３ｃが設けられている。そして天壁３ａの外縁部には、上方に向けて延在する円筒状の筒状壁３ｄが設けられていて、筒状壁３ｄの上部には、径方向外側に延在した後に下向きに延在して筒状壁３ｄとの間で膨出部２ｃに係合保持される保持壁３ｅが設けられている。また保持壁３ｅの上部には、径方向外側に向かうにつれて下向きに傾く傾斜部３ｆが設けられている。
【００２１】
回転体４は、本実施形態では円筒状をなす内筒部４ａを備えていて、その内側には第２剤を収める充填空間Ｓ２が形成されている。なお内筒部４ａは、多角形の筒状であってもよい。そして内筒部４ａの上部には、径方向内側に延在する上部壁４ｂが設けられている。また上部壁４ｂの中央部には開口（上部開口４ｃ）が設けられている。また内筒部４ａの下部も開口している（下部の開口を下部開口４ｄと称する）。そして下部開口４ｄには、薄手のシートで形成されるシール部４ｅが固着されていて、充填空間Ｓ２の下端部を閉鎖している。なお、充填空間Ｓ２に第２剤を収容するにあたっては、シール部４ｅで充填空間Ｓ２の下端部を閉鎖した状態で上部開口４ｃから導入してもよいし、後述するように、上部開口４ｃを識別体５で閉栓した状態で下部開口４ｄから導入してもよい。
【００２２】
また回転体４は、内筒部４ａの径方向外側に位置する外筒部４ｊを備えている。そして、内筒部４ａと外筒部４ｊとの間には、これらを直接的、或いは間接的につなぐ薄肉状の連結片４ｇが設けられている。本実施形態では、筒状壁３ｄの径方向内側に位置する円筒状の内周壁４ｆと、内周壁４ｆの上端部から径方向外側に延在して外筒部４ｊに連結するフランジ部４ｈを設け、内筒部４ａと内周壁４ｆとを連結片４ｇで連結している。またフランジ部４ｈの外縁部には、フランジ部４ｈを貫く貫通穴４ｋが設けられている。本実施形態の貫通穴４ｋは、図２（ａ）に示すように周方向に間隔をあけて合計４つ設けられている。更に、図１の拡大図に示すように、貫通穴４ｋが設けられている外筒部４ｊの内周面には内向き凸部４ｍが設けられている。更に、外筒部４ｊの内周面には、雄ねじ部２ｂに適合する雌ねじ部４ｎが設けられている。そして、外筒部４ｊの下端部には、径方向外側に斜めに延在した後、下方に向けて延在する段差壁４ｐが設けられている。段差壁４ｐの内周面には、径方向内側に向けて突出する内向き突起４ｑが設けられている。
【００２３】
識別体５は、中央部が上向きに膨出する円板状の頂壁５ａを備えている。頂壁５ａは、上部開口４ｃを覆っていて、上部開口４ｃよりも径方向外側に位置する部位には、図１の拡大図に示すように、上部壁４ｂに当接して上部開口４ｃを閉栓するシールリング５ｂが設けられている。また、識別体５の外縁部には、内向き凸部４ｍに係合する外向き凸部５ｃを備えるとともに、貫通穴４ｋに挿入される係止部５ｄが設けられている。
【００２４】
バージンリング６は、容器本体２と回転体４の相互間において、口部２ａを周回するように設けられる。図２（ｂ）に示すようにバージンリング６は、口部２ａを取り囲むリング本体６ａを備えていて、リング本体６ａは、薄肉部６ｂを介して環状につながっている。またリング本体６ａの内周面には、外向き突起２ｄに適合する凹部６ｃが設けられている。また、リング本体６ａの径方向外側において、リング本体６ａと薄肉部６ｂが連結する部位には、円弧状の指掛け部６ｄが設けられている。
【００２５】
このような形態になる混合容器１では、上述したバージンリング６によって、回転体４の下方への移動が阻止されている。すなわち、流通時等で不用意に回転体４がねじ込まれて第２剤が投入される不具合を防止することができる。
【００２６】
そして第２剤を投入するにあたっては、まず、バージンリング６を取り除く作業を行う。本実施形態においては、指掛け部６ｄを反転させるようにして引っ張れば、薄肉部６ｂが破断するため、バージンリング６を取り除くことができる。なおバージンリング６は、図２（ｂ）に示すように外向き突起２ｄに対して凹部６ｃが嵌まり込んでいて、指掛け部６ｄを反転させるようにして引っ張っても、リング本体６ａが口部２ａに対して回転することがないため、薄肉部６ｂを確実に破断させることができる。
【００２７】
その後は、雄ねじ部２ｂと雌ねじ部４ｎが締まる向きに回転体４を回転させる。これにより内筒部４ａは、カッター３に向かって下方に移動するため、シール部４ｅは刃部３ｃによって破断して、第２剤は充填空間Ｓ２から流出する。そして流出した第２剤は、連通口３ｂを通して収容空間Ｓ１に導入されるため、第１剤と第２剤を混合させることができる。
【００２８】
また、回転体４をねじ込むことによって、内筒部４ａの下端部が天壁３ａの上面に当接して内筒部４ａはその位置で留まる一方で、外筒部４ｊは下方に移動するため、内筒部４ａには相対的に上方へ向かう力が作用する。このため内筒部４ａは、図３に示すように、連結片４ｇを反転させつつ、外筒部４ｊに対して上方へ移動する。これにより、上部壁４ｂに当接していた識別体５にも上方へ向かう力が作用し、図１の拡大図に示す内向き凸部４ｍと外向き凸部５ｃとの係合が解かれて、識別体５が回転体４から脱落する。すなわち、第２剤の投入に合わせて識別体５が脱落することになるため、識別体５が回転体４に残っているか否かによって、第２剤の投入の有無を判別することができる。ところで、回転体４に識別体５を保持するにあたっては、シール部４ｅが破断される前に識別体５が脱落してしまうことを防止するために、シール部４ｅを破断する際の抵抗力に比して回転体４に保持される識別体５の保持力を高く設定しておくこととする。本実施形態のように、内向き凸部４ｍと外向き凸部５ｃとの係合によって識別体５を回転体４に保持する場合は、内向き凸部４ｍと外向き凸部５ｃの突出量やこれらの周方向の延在長さを変えることによって保持力の調整を行うことができるため、このような設定も容易に行うことができる。
【００２９】
また、雄ねじ部２ｂと雌ねじ部４ｎが締まる向き（図４に矢印で示す向き）に回転体４を回転させると、ねじ込みが完了するねじ込み終了域において、回転体４に設けた内向き突起４ｑが、緩斜部２ｅを設けた外向き突起２ｄを乗り越えてこの外向き突起２ｄに係合する。なお回転体４をねじ込むと、内向き突起４ｑは、緩斜部２ｅを設けた側から外向き突起２ｄに近づくため、外向き突起２ｄを容易に乗り越えることができる。このように、内向き突起４ｑが外向き突起２ｄに係合した状態においては、回転体４は雄ねじ部２ｂと雌ねじ部４ｎが緩む向きへの回転が阻止されることになる。またこの状態においては、図３に示すように内筒部４ａは外筒部４ｊに対して上方へ移動しているため、識別体５を回転体４に取り付けようとしても、内筒部４ａが干渉することになる。このため、識別体５の再装着が防止され、第２剤の投入の有無を常に正しく判別することができる。
【００３０】
また本実施形態においては、回転体４をねじ込むことによって識別体５が脱落し、これによって上部開口４ｃが開栓する。よって、容器本体２を傾倒させれば、収容空間Ｓ１で混ざりあった第１剤と第２剤との混合物を、上部開口４ｃから注出させることができる。なお、一旦第２剤を投入した後は識別体５を再び装着することはできず、上部開口４ｃは開栓したままとなるため、第１剤と第２剤として混合させた後はすぐに使用した方がよいものである場合に、本実施形態の混合容器１は特に有利となる。
【００３１】
次に、本発明に従う混合容器の第２実施形態について、図５〜図８を参照しながら説明する。本実施形態の混合容器１１は、前述の回転体４、識別体５に換えて回転体１４、識別体１５を備え、更にキャップ１７を備えるものである。
【００３２】
図５に示すように回転体１４は、形状は若干異なるものの、先に説明した回転体４における内筒部４ａ、上部壁４ｂ、上部開口４ｃ、下部開口４ｄ、シール部４ｅ、内周壁４ｆ、連結片４ｇ、フランジ部４ｈ、外筒部４ｊ、貫通穴４ｋ、雌ねじ部４ｎ、段差壁４ｐ、内向き突起４ｑと略同様の機能を持つ、内筒部１４ａ、上部壁１４ｂ、上部開口１４ｃ、下部開口１４ｄ、シール部１４ｅ、内周壁１４ｆ、連結片１４ｇ、フランジ部１４ｈ（図５の拡大図を参照）、外筒部１４ｊ、貫通穴１４ｋ（図５の拡大図を参照）、雌ねじ部１４ｎ、段差壁１４ｐ、内向き突起１４ｑを備えている。なお貫通穴１４ｋは、図６に示すように合計６つ設けられている。また、図５に示すように内筒部４ａの外周面には、第２雄ねじ部１４ｒが設けられている。更に、図５の拡大図に示すようにフランジ部１４ｈの上面には、上方に向けて立ち上がる上向き突起１４ｓが設けられている。
【００３３】
識別体１５は、図５の拡大図に示すように、フランジ部１４ｈの上方に位置するとともに円環状をなす円環頂壁１５ａを備えている。円環頂壁１５ａの内縁部には、上方に向けて立ち上がる環状壁１５ｂが設けられている。また、円環頂壁１５ａの下面には、径方向内側を向く爪部１５ｃが設けられている。本実施形態の爪部１５ｃは、貫通穴１４ｋに挿入されてフランジ部１４ｈに係合するものであり、貫通穴１４ｋに対応させて合計６つ設けられている。
【００３４】
キャップ１７は、有蓋筒状をなすキャップ本体１７ａを備えている。キャップ本体１７ａの内側下面には、図５の拡大図に示すように、上部開口１４ｃよりも径方向外側に位置し、上部壁１４ｂに当接して上部開口１４ｃを閉栓するシールリング１７ｂが設けられている。更にキャップ本体１７ａの内周面には、第２雄ねじ部１４ｒに適合する第２雌ねじ部１７ｃが設けられている。また、キャップ本体１７ａの下端部には、径方向外側に向けて延在するとともに外縁部を下向きに延在させたキャップフランジ部１７ｄが設けられている。またキャップフランジ部１７ｄの下面には、図５の拡大図に示すように、下方に向けて突出して上向き突起１４ｓに係合する下向き突起１７ｅが設けられている。
【００３５】
このような形態になる混合容器１１は、先の実施形態と同様に、バージンリング６によって、流通時等で不用意に第２剤が投入される不具合を防止することができる。またキャップ１７は、未使用時においては上向き突起１４ｓと下向き突起１７ｅが係合し、回転が阻止されているため、不用意に外れてしまうことはない。
【００３６】
そして第２剤を投入するにあたっては、本実施形態の混合容器１１においても、まずバージンリング６を取り除く作業を行う。そして、回転体１４をねじ込むことによって、シール部１４ｅは刃部３ｃによって破断し、充填空間Ｓ２から第２剤が流出して、連通口３ｂを通して収容空間Ｓ１の第１剤と混合させることができる。
【００３７】
また、回転体１４をねじ込むことによって、図７に示すように内筒部１４ａの下端部は天壁３ａの上面に当接し、これによって内筒部１４ａは、外筒部１４ｊに対して上方へ移動するため、内筒部１４ａにねじ込まれているキャップ１７も上方へ移動する。これにより、図７の拡大図に示すように、上向き突起１４ｓと下向き突起１７ｅとの係合が外れていくことになる。よって、図８に示すように回転体１４を最後までねじ込んだ際は、上向き突起１４ｓと下向き突起１７ｅとの係合が外れてキャップ１７を回転させることができる。
【００３８】
また回転体１４をねじ込んだ際、図７の拡大図に示すように爪部１５ｃは、傾斜部３ｆに当接するため、爪部１５ｃは径方向外側に撓んでいくことになる。よって回転体１４のねじ込みが進むと、図８に示すように爪部１５ｃとフランジ部１４ｈとの係合が外れて識別体１５が脱落する。すなわち、本実施形態にあっても、識別体１５が回転体１４から脱落しているか否かによって第２剤の投入の有無を判別することができる。また、先の実施形態と同様に、回転体１４のねじ込み終了域においては、図４に示すように回転体１４に設けた内向き突起１４ｑが、緩斜部２ｅを設けた外向き突起２ｄに係合するため、回転体１４は、雄ねじ部２ｂと雌ねじ部１４ｎが緩む向きへの回転が阻止されることになる。またこの状態においては、図８に示すように貫通穴１４ｋの近傍まで傾斜部３ｆが近づいているため、識別体１５を回転体１４に取り付けようとしても、カッター３が干渉して爪部１５ｃをフランジ部１４ｈに係合させることはできない。このため、識別体１５の再装着が防止され、第２剤の投入の有無を常に正しく判別することができる。
【００３９】
本発明に従う混合容器は、これまでに説明した実施形態に限られるものではなく、特許請求の範囲に従う範疇で種々の変更を加えたものも含まれる。例えば上述した第１、第２実施形態におけるカッター３は、容器本体２と一体化したものであってもよい。また上述した第２実施形態における識別体１５は、回転体１４をねじ込むことによって、爪部１５ｃがカッター３の傾斜部３ｆに押し当たって脱落するものであるが、爪部１５ｃが押し当たる部位は容器本体２であってもよい。またこの実施形態における識別体１５は、爪部１５ｃが径方向外側に撓むことで回転体１４から脱落するものであるが、爪部１５ｃが指向する向き、及び傾斜部３ｆが傾く向きを変えて、径方向内側に撓むようにして脱落するようにしてもよい。
【符号の説明】
【００４０】
１      ：混合容器
２      ：容器本体
２ａ    ：口部
２ｂ    ：雄ねじ部（ねじ部）
２ｃ    ：膨出部
２ｄ    ：外向き突起
２ｅ    ：緩斜部
３      ：カッター
３ａ    ：天壁
３ｂ    ：連通口
３ｃ    ：刃部
３ｄ    ：筒状壁
３ｅ    ：保持壁
３ｆ    ：傾斜部
４      ：回転体
４ａ    ：内筒部
４ｂ    ：上部壁
４ｃ    ：上部開口
４ｄ    ：下部開口
４ｅ    ：シール部
４ｆ    ：内周壁
４ｇ    ：連結片
４ｈ    ：フランジ部
４ｊ    ：外筒部
４ｋ    ：貫通穴
４ｍ    ：内向き凸部
４ｎ    ：雌ねじ部（被ねじ部）
４ｐ    ：段差壁
４ｑ    ：内向き突起
５      ：識別体
５ａ    ：頂壁
５ｂ    ：シールリング
５ｃ    ：外向き凸部
５ｄ    ：係止部
６      ：バージンリング
６ａ    ：リング本体
６ｂ    ：薄肉部
６ｃ    ：凹部
６ｄ    ：指掛け部
１１    ：混合容器
１４    ：回転体
１４ａ  ：内筒部
１４ｂ  ：上部壁
１４ｃ  ：上部開口
１４ｄ  ：下部開口
１４ｅ  ：シール部
１４ｆ  ：内周壁
１４ｇ  ：連結片
１４ｈ  ：フランジ部
１４ｊ  ：外筒部
１４ｋ  ：貫通穴
１４ｎ  ：雌ねじ部
１４ｐ  ：段差壁
１４ｑ  ：内向き突起
１４ｒ  ：第２雄ねじ部（第２ねじ部）
１４ｓ  ：上向き突起
１５    ：識別体
１５ａ  ：円環頂壁
１５ｂ  ：環状壁
１５ｃ  ：爪部
１７    ：キャップ
１７ａ  ：キャップ本体
１７ｂ  ：シールリング
１７ｃ  ：第２雌ねじ部（第２被ねじ部）
１７ｄ  ：キャップフランジ部
１７ｅ  ：下向き突起
Ｓ１    ：収容空間
Ｓ２    ：充填空間
【図１】
2019026303.tif 000003
【図２】
2019026303.tif 000004
【図３】
2019026303.tif 000005
【図４】
2019026303.tif 000006
【図５】
2019026303.tif 000007
【図６】
2019026303.tif 000008
【図７】
2019026303.tif 000009
【図８】
2019026303.tif 000010